(57)【要約】【課題】商品陳列の際に収納ケースが下方に傾くことを抑制し、かつ商品購入後に利用者が収容ケースを引き続き利用することを容易にすることができる収容ケースを提供する。【解決手段】収納ケース１は、一方の面３０から他方の面３１に貫通する挿入口３２が形成されたシート体３と、前記シート体と結合して前記シート体の両面に突出した物品の収容部を形成する一対の箱体２０、２１とを備えている。前記一対の箱体は、このうち少なくとも一方２０が、前記収容される物品４０より外側から前記シート体の挿入口に挿入されて他方の箱体に結合され、少なくとも前記シート体を取り外した状態において可逆的に係合される。【選択図】図１
2006089145.tif 000002
【特許請求の範囲】
【請求項１】
一方の面から他方の面に貫通する挿入口が形成されたシート体と、前記シート体と結合して前記シート体の両面に突出した物品の収容部を形成する一対の箱体とを備え、
前記一対の箱体は、このうち少なくとも一方が前記シート体の挿入口に挿入されて他方の箱体に結合され、少なくとも前記シート体を取り外した状態において可逆的に係合されるようにした、収納ケース。
【発明の詳細な説明】
【技術分野】
【０００１】
本発明は、店舗等における陳列が可能な物品の収納ケースに関する。
【背景技術】
【０００２】
店舗に陳列される物品の収納ケースとして、図３（ａ）のように、一方の面が開放された透明樹脂製の箱体７に物品を収容し、この箱体の開放面を厚紙台紙８に貼り付けたものが知られている。図３（ｂ）のように、この収納ケースの厚紙台紙８の上部に穴８１を開けてフック９に吊るすことにより、商品を陳列することができる。比較的長いフック９を水平に設け、多数の同種商品を１つのフックに掛けることで、フックの先端に近い方から１つ１つ取り出すことができる。この商品を購入した消費者は、厚紙台紙８から透明樹脂製の箱体７を剥がして収納ケース内の物品を取り出せば、この物品を使用することができる。
【発明の開示】
【発明が解決しようとする課題】
【０００３】
しかしながら、上記の従来技術では、厚紙台紙８の一方の面に物品及び透明樹脂製の箱体７が保持されるため、厚紙台紙８に設けられた穴８１でフック９に吊るすと、物品の重さで厚紙台紙８が前方に傾いてしまい、厚紙台紙８の表側の面が斜め下方を向いてしまう場合がある。厚紙台紙８の表側の面には商品の特徴や商標など、商品購入者の関心を惹きつけるべき内容が印刷されるのが通常であるから、その面が下方を向いてしまうようでは商品の陳列方法として台無しである。特に図３（ｃ）のように、収容される物品が重い場合や、物品が厚紙台紙に対して垂直方向に長い場合ほど、厚紙台紙８が一層下を向いてしまう。また、上記の従来技術では、商品を購入した消費者が一度開封すると蓋を閉め直すことができず、収納ケースが再利用できず無駄になってしまう。
【０００４】
本発明は、商品陳列の際に収納ケースが下方に傾くことを抑制し、かつ商品購入後に利用者が収容ケースを引き続き利用することを容易にすることができる収容ケースを提供することを目的とする。
【課題を解決するための手段】
【０００５】
上記目的を達成するため、本発明の収納ケースは、一方の面から他方の面に貫通する挿入口が形成されたシート体と、前記シート体と結合して前記シート体の両面に突出した物品の収容部を形成する一対の箱体とを備え、前記一対の箱体は、このうち少なくとも一方が、前記収容される物品より外側から前記シート体の挿入口に挿入されて他方の箱体に結合され、少なくとも前記シート体を取り外した状態において可逆的に係合されるようにしている。
【０００６】
上記収納ケースにおいて、前記シート体には、前記シート体の挿入口から前記シート体の外縁に至る切り込み又は切断予定線が形成され、前記切り込み又は切断予定線から前記シート体の外縁に沿ってそれぞれ反対方向に所定距離離れた位置に、前記箱体より外側に露出した露出領域を備えることが望ましい。
【０００７】
この収納ケースにおいて、前記一対の箱体は、互いの一端を連結する連結部を備えることで当該連結部を軸として開閉可能であり、前記連結部は、前記一対の箱体が前記シート体に結合される際に、前記切り込み又は切断予定線を覆うことが望ましい。
【発明の効果】
【０００８】
本発明によれば、商品陳列の際に収納ケースが下方に傾くことを抑制し、かつ商品購入後に利用者が収容ケースを引き続き利用することを容易にすることができる収容ケースを提供することができる。
【発明を実施するための最良の形態】
【０００９】
次に、図面を参照しながら本発明の実施の形態を説明する。
【００１０】
＜構造の説明＞
図１（ａ）は、本発明の実施形態による収納ケースの表側及び裏側を見た斜視図であり、図１（ｂ）は、この収納ケースの垂直断面図である。この収納ケース１は、厚紙からなるシート体３と、このシート体３をシート体３の表側の面３０及び裏側の面３１から挟む透明樹脂製の一対の箱体２０及び２１とを備えている。箱体２０及び２１内に形成された空間内に物品４０を収容することができる。この実施形態では、図示しない円筒形の芯に巻かれた片側粘着テープを収納する。
【００１１】
図２（ａ）は、上記収納ケースを構成するシート体の斜視図であり、図２（ｂ）及び（ｃ）は、上記収納ケースを構成する一対の箱体の斜視図である。図２（ａ）に最も良く示されるように、シート体３には表側の面から裏側の面まで貫通する円形の挿入口３２が形成されている。この挿入口３２とシート体３の外縁との間には、ミシン目、折り目又はその他の切断され易い構造とされた切断予定線３３が形成されている。切断予定線３３のシート体３外縁側には、切断予定線を更に破れ易くする切欠き３４が形成されている。なお、切断予定線３３に代え、挿入口３２からシート体３の外縁まで切り込みを１箇所形成し、その部分は完全に切り離された構造としても良い。シート体３の上部にはフック等に引っ掛けるための穴３６が形成されている。
【００１２】
図２（ｂ）に示されるように、一対の箱体２０、２１は、その一端に形成された連結部２９において互いに連結されており、この連結部２９を軸として開閉することができる。
【００１３】
図１（ｂ）を併せて参照すると、シート体３の表側の面に配置される箱体２０は、物品の収容部を構成する円形の底面２０ａ及び円筒形の側面２０ｂと、シート体３に接する環状の基準面２０ｅと、基準面２０ｅの内縁から底面２０ａと反対側（シート体３の裏面側）に延びる円筒形の大径係合面２０ｄと、大径係合面２０ｄ及び側面２０ｂを接続する環状の接続面２０ｃと、を備えている。側面２０ｂと大径係合面２０ｄは同心円筒形となっているが、これに限らず側面２０ｂは底面２０ａ側に縮径するテーパ面となっていてもよい。
【００１４】
底面２０ａ、基準面２０ｅ、接続面２０ｃは互いに平行な平面である。底面２０ａには、収容される粘着テープ４０の円筒形の芯を支持する小円筒部２０ｆを設けることが望ましい。
【００１５】
シート体３の裏側の面に配置される箱体２１は、物品の収容部を構成する円形の底面２１ａ及び円筒形の側面２１ｂと、シート体３に接する環状の基準面２１ｅと、基準面２１ｅの内縁から底面２１ａ側に延びる円筒形の大径係合面２１ｄと、大径係合面２１ｄ及び側面２１ｂを接続する環状の接続面２１ｃと、を備えている。側面２１ｂと大径係合面２１ｄは同心円筒形となっているが、これに限らず側面２１ｂは底面２１ａ側に縮径するテーパ面となっていてもよい。
【００１６】
底面２１ａ、基準面２１ｅ、接続面２１ｃは互いに平行な平面である。底面２１ａには、収容される粘着テープ４０の円筒形の芯を支持する小円筒部２１ｆを設けることが望ましい。
【００１７】
底面２０ａと底面２１ａはほぼ同一の形状である。接続面２０ｃと接続面２１ｃ、大径係合面２０ｄと大径係合面２１ｄ、基準面２０ｅと基準面２１ｅは互いに嵌め合わされるようになっており、大径係合面２１ｄ内に嵌められる大径係合面２０ｄ及び接続面２０ｃが大径係合面２１ｄ及び接続面２１ｃより若干小径であるほかは互いにほぼ同様の形状である。なお、大径係合面２０ｄはシート体３の挿入口３２内にも挿入されるので、挿入口３２より若干小径とする。
【００１８】
側面２０ａと側面２１ａは互いにほぼ同径であるが、側面２０ａがシート体３の裏面の側に延びる分だけ軸方向に長くなっている。
【００１９】
大径係合面２０ｄの外周面には、係合突起２２が複数形成されている。係合突起２２の数は、例えば５個とし、大径係合面２０ｄの外周面上に均等に配置する。大径係合面２１ｄの内周面には、係合突起２２に対応する係合突起２３が複数形成されている。箱体２０と箱体２１とを嵌め合わせたときに、これら係合突起２２と係合突起２３とが弾性的に係合することにより、箱体２０及び箱体２１が互いに蓋をした状態で固定される。
【００２０】
以上のように、本実施形態の収納ケース１は、箱体２０、２１により形成される物品の収容部がシート体３の両面に突出している。従って、シート体３の両面に物品の荷重が掛かった状態で物品を収容することができる。従って、シート体３の一方の面に荷重が偏ることを防止することができ、シート体３が下方に傾くことを防止することができ、穴３６によってバランスよく吊り下げることができる。
【００２１】
また、本実施形態の収納ケース１は、接着剤や粘着材を使わずに蓋をすることができるので、開閉が極めて容易かつ可逆的である。
【００２２】
また、本実施形態では箱体２０、２１の基準面２０ｅ、２１ｅによりシート体３を挟み、しかも、大径係合面２０ｄが物品４０より外側からシート体３の挿入口３２内に挿入されるので、箱体２０、２１の全周にわたって挿入口３２を三面で支持し、シート体３の位置がずれないようにしっかり固定することができる。
【００２３】
＜取り出し方法＞
収納ケース１を開けて物品４０を取り出すときは、基準面２０ｅに設けられた摘み２４と基準面２１ｅに設けられた摘み２５とを掴み、あるいは摘み２４又は摘み２５の何れか一方とシート体３とを掴み、基準面２０ｅと基準面２１ｅとを引離す方向に引っ張る。これにより、係合突起２２と係合突起２３との係合が外れ、箱体２０及び箱体２１が開く。これにより、収容されていた物品が取り出し可能になるととともに、シート体３が箱体２０及び箱体２１から取り外し可能となる（図２（ｂ）の状態）。
【００２４】
図２（ｃ）は、シート体３を取り外した状態で箱体２０と箱体２１とを再度嵌め合わせた状態を示している。箱体２０と箱体２１との嵌め合わせは上記のように係合突起２２と係合突起２３との弾性係合によって固定されるので、箱体２０と箱体２１とは可逆的に開閉することができる。従って、使いかけの物品４０を、箱体２０及び箱体２１内に容易に再収納することができ、容易に再度取り出すこともできる。再収納の際に接着剤、粘着材、ステープルその他の締結用具を用いる必要も無く、再度取り出すことも素手ででき、特別の道具も必要が無い。また、シート体３と箱体２０、２１との分離が容易であるため、シート体３を紙資源として、箱体２０、２１をプラスチック資源としてそれぞれ分別収集する場合には、消費者の分別負担を大幅に軽減することが可能である。
【００２５】
更に、シート体３を取り外した状態での再収納及び持ち運びが可能であるため、再収納及び持ち運び時の重さを軽量化することができる。更に、シート体３の挿入口３２より内側で箱体２０と箱体２１とが係合するようにしたので、再収納時及び持運び時の箱体２０、２１の大きさは物品の大きさより一回り大きくするだけでよく、シート体３の大きさは無制限にすることができる。すなわち、シート体３は、収納される物品の商標、イメージ写真、商品特徴など、消費者を商品に惹きつけるための表示をするために十分な大きさをとることが可能であり、シート体３の大きさに連動して再収納時及び持運び時の箱体２０、２１の大きさを大きくする必要がない。
【００２６】
また、本実施形態では箱体２０、２１を透明の材料で構成している。そのため、図１（ａ）等から明らかなように収納されている物品の外観が３６０°どの方向からも見ることができ、消費者が内容物を十分に吟味して商品を選択することが可能である。
【００２７】
また、箱体２０と箱体２１とは連結部２９により連結されている。この連結部２９により、箱体２０及び箱体２１を開いた状態においてこれらがばらばらになるのを防止することが出来る。また、図１（ａ）に示すように、シート体３のうち挿入口３２からシート体外縁までの距離が周囲より短い部分を連結部２９が覆うようにすることで、シート体３に対する箱体２０、２１の回転ずれを防止することができる。また、連結部２９がシート体３の切断予定線３３を覆うことで、切断予定線３３を不意の切断から保護することができる。
【００２８】
＜取り出し方法の変形例＞
図１（ａ）に示されるように、シート体３の切断予定線３３の両側には、シート体３が箱体２０、２１の基準面２０ｅ、２１ｅからはみ出た露出領域３５が形成されている。これら露出領域３５を両側に引っ張ることにより、切断予定線３３が切断され、あるいは挿入口３２からシート体３外縁に至る切り込み（図示せず）が引き離される。これにより、箱体２０、２１を開けなくても、箱体２０の大径係合面２０ｄを取り巻き基準面２０ｅ、２１ｅに挟まれているシート体３を、完全に取り去ることができる（直ちに図２（ｃ）の状態になる）。よって、消費者がこの商品を購入した後に、持運び又は保管のときにシート体３が不要であれば、開封前でもシート体３を容易に廃棄することができる。
【００２９】
＜その他の変形例＞
なお、上記説明においてシート体３は厚紙としたが、これに限らず、樹脂製、木製の板などでもよい。シート体３の厚さが厚い場合には、図１（ｂ）の状態において係合突起２２と係合突起２３とが係合できないことがあり得るが、その場合でも他の結合手段で箱体２０、２１を結合させればよい。少なくともシート体３を取り外した状態において箱体２０、２１が可逆的に係合されるようになっていれば、開封後はシート体３を処分し、コンパクトな箱体２０、２１を収納、持運びに使うことができる。
【００３０】
また、上記の説明において箱体２０、２１は収容される物品全体を覆う形状であったが、これに限らず、箱体２０、２１の一部に穴を開け、収容された物品を外から触ることができるようにしてもよい。
【図面の簡単な説明】
【００３１】
【図１】図１（ａ）は、本発明の実施形態による収納ケースの表側及び裏側を見た斜視図であり、図１（ｂ）は、この収納ケースの垂直断面図である。
【図２】図２（ａ）は、上記収納ケースを構成するシート体の斜視図であり、図２（ｂ）及び（ｃ）は、上記収納ケースを構成する一対の箱体の斜視図である。
【図３】従来の収納ケースを説明する図である。
【符号の説明】
【００３２】
１ 収納ケース
２０、２１ 箱体
２９ 連結部
３ シート体
３０ 表側の面
３１ 裏側の面
３２ 挿入口
４０ 挿入される物品
３３ 切断予定線
３５ 露出領域
【図１】
2006089145.tif 000003
【図２】
2006089145.tif 000004
【図３】
2006089145.tif 000005